(57)【特許請求の範囲】
【請求項１】
サブフレーム情報を送信するための方法であって、
ユーザ装置が、ラジオリソースコントロールＲＲＣ専用シグナリング、メディアアクセスコントロールＭＡＣシグナリング、または物理レイヤコントロールシグナリングを通じて、基地局から、サブフレームコンフィギュレーションを示す第１情報を取得するステップと、
前記ユーザ装置が、前記サブフレームコンフィギュレーションを前記第１情報に従って決定するステップであって、前記サブフレームコンフィギュレーションは、サブフレームセットにおけるサブフレームのサブフレームタイプを識別し、前記サブフレームは、第１電力サブフレームを含み、前記第１電力サブフレームは、低電力またはゼロ電力を用いることによりデータまたは制御信号を送信するためのサブフレームであるステップと、
前記ユーザ装置が、前記基地局から、前記第１電力サブフレームにおけるデータ送信のためのリソースエレメントごとのエネルギーＥＰＲＥを示す第２情報を取得するステップと、
前記ユーザ装置が、前記第１電力サブフレームにおけるデータ送信のためのＥＰＲＥを前記第２情報および第２電力サブフレームにおけるデータ送信のためのＥＰＲＥに従って決定するステップと、
を含み、
ここで、前記サブフレームは、更に、前記第２電力サブフレームを含み、前記第２電力サブフレームは、通常の電力を用いることによりデータまたは制御信号を送信するためのサブフレームである、方法。
【請求項２】
前記第２情報は、前記第１電力サブフレームにおけるデータ送信のためのＥＰＲＥの上限値であり、前記第１電力サブフレームにおけるデータ送信のためのＥＰＲＥを決定するステップは、
前記基地局から、前記第２電力サブフレームにおけるデータ送信のためのＥＰＲＥを取得するステップと、
前記上限値と前記第２電力サブフレームにおけるデータ送信のためのＥＰＲＥとのうち、小さい方が、前記第１電力サブフレームにおけるデータ送信のためのＥＰＲＥであると決定するステップと、を含む、請求項１に記載の方法。
【請求項３】
前記第２情報が、前記第１電力サブフレームにおけるデータ送信のためのＥＰＲＥと第２電力サブフレームにおけるデータ送信のためのＥＰＲＥとの差または比である場合、前記第１電力サブフレームにおけるデータ送信のためのＥＰＲＥを決定するステップは、
前記基地局から、前記第２電力サブフレームにおけるデータ送信のためのＥＰＲＥを取得するステップと、
前記第２電力サブフレームにおけるデータ送信のためのＥＰＲＥと前記差とに従って、または、前記第２電力サブフレームにおけるデータ送信のためのＥＰＲＥと前記比とに従って、前記第１電力サブフレームにおけるデータ送信のためのＥＰＲＥを決定するステップと、を含む、請求項１に記載の方法。
【請求項４】
サブフレーム情報を送信する方法であって、
基地局が、ラジオリソースコントロールＲＲＣ専用シグナリング、またはメディアアクセスコントロールＭＡＣシグナリング、または物理レイヤコントロールシグナリングを通じて、ユーザ装置ＵＥに、サブフレームコンフィギュレーションを示す第１情報を送信するステップであって、前記サブフレームコンフィギュレーションは、前記ユーザ装置ＵＥにより前記第１情報に従って決定され、前記サブフレームコンフィギュレーションは、サブフレームセットにおけるサブフレームのサブフレームタイプを識別し、前記サブフレームは、第１電力サブフレームを含み、前記第１電力サブフレームは、低電力またはゼロ電力を用いることによりデータまたは制御信号を送信するためのサブフレームであるステップと、
前記基地局が前記ユーザ装置ＵＥに第２情報を送信するステップであって、前記第２情報は、前記第１電力サブフレームにおけるデータ送信のためのリソースエレメントごとのエネルギーＥＰＲＥを示し、前記第１電力サブフレームにおけるデータ送信のためのＥＰＲＥは、前記ユーザ装置ＵＥにより前記第２情報および第２電力サブフレームにおけるデータ送信のためのＥＰＲＥに従って決定されるステップと、
を含み、
ここで、前記サブフレームは、更に、前記第２電力サブフレームを含み、前記第２電力サブフレームは、通常の電力を用いることによりデータまたは制御信号を送信するためのサブフレームである、方法。
【請求項５】
前記ユーザ装置ＵＥに第２情報を送信するステップは、
前記ユーザ装置ＵＥが、前記第１電力サブフレームにおけるデータ送信のためのＥＰＲＥの上限値と前記第２電力サブフレームにおけるデータ送信のためのＥＰＲＥとのうち、小さい方が、前記第１電力サブフレームにおけるデータ送信のためのＥＰＲＥであると決定することができるように、前記ユーザ装置ＵＥに前記上限値を送信するステップを含む、請求項４に記載の方法。
【請求項６】
前記ユーザ装置ＵＥに第２情報を送信するステップは、
前記ユーザ装置ＵＥに、前記第１電力サブフレームにおけるデータ送信のためのＥＰＲＥと前記第２電力サブフレームにおけるデータ送信のためのＥＰＲＥとの差または比を送信するステップを含む、請求項４に記載の方法。
【請求項７】
ラジオリソースコントロールＲＲＣ専用シグナリング、またはメディアアクセスコントロールＭＡＣシグナリング、または物理レイヤコントロールシグナリングを通じて、基地局から、サブフレームコンフィギュレーションを示す第１情報を取得するように構成された取得ユニットと、
前記第１情報に従って、前記サブフレームコンフィギュレーションを決定するように構成された決定ユニットであって、前記サブフレームコンフィギュレーションは、サブフレームセットにおけるサブフレームのサブフレームタイプを識別し、前記サブフレームは、第１電力サブフレームを含み、前記第１電力サブフレームは、低電力またはゼロ電力を用いることによりデータまたは制御信号を送信するためのサブフレームである決定ユニットと、
を備え、
前記取得ユニットは、更に、前記基地局から第２情報を取得するように構成され、前記第２情報は、前記第１電力サブフレームにおけるデータ送信のためのリソースエレメントごとのエネルギーＥＰＲＥを示し、
前記決定ユニットは、更に、前記第２情報および第２電力サブフレームにおけるデータ送信のためのＥＰＲＥに従って、前記第１電力サブフレームにおけるデータ送信のためのＥＰＲＥを決定するように構成され、
ここで、前記サブフレームは、更に、前記第２電力サブフレームを含み、前記第２電力サブフレームは、通常の電力を用いることによりデータまたは制御信号を送信するためのサブフレームである、ユーザ装置。
【請求項８】
前記取得ユニットによって取得された前記第２情報が、前記第１電力サブフレームにおけるデータ送信のためのＥＰＲＥの上限値である場合、
前記取得ユニットは、更に、前記基地局から、前記第２電力サブフレームにおけるデータ送信のためのＥＰＲＥを取得するように構成され、
前記決定ユニットは、更に、前記上限値と前記第２電力サブフレームにおけるデータ送信のためのＥＰＲＥとのうち、小さい方が、前記第１電力サブフレームにおけるデータ送信のためのＥＰＲＥであると決定するように構成される、請求項７に記載のユーザ装置。
【請求項９】
前記取得ユニットによって取得された前記第２情報は、前記第１電力サブフレームにおけるデータ送信のためのＥＰＲＥと第２電力サブフレームにおけるデータ送信のためのＥＰＲＥとの差または比である場合、
前記取得ユニットは、更に、前記基地局から、前記第２電力サブフレームにおけるデータ送信のためのＥＰＲＥを取得するように構成され、
前記決定ユニットは、前記第２電力サブフレームにおけるデータ送信のためのＥＰＲＥと前記差とに従って、または、前記第２電力サブフレームにおけるデータ送信のためのＥＰＲＥと前記比とに従って、前記第１電力サブフレームにおけるデータ送信のためのＥＰＲＥを決定するように構成される、請求項７に記載のユーザ装置。
【請求項１０】
基地局であって、
サブフレームコンフィギュレーションを示す第１情報を決定するように構成された決定ユニットと、
ラジオリソースコントロールＲＲＣ専用シグナリング、メディアアクセスコントロールＭＡＣシグナリング、または物理レイヤコントロールシグナリングを通じて、ユーザ装置ＵＥに前記第１情報を送信するように構成され、前記サブフレームコンフィギュレーションは、前記ユーザ装置ＵＥにより前記第１情報に従って決定され、前記サブフレームコンフィギュレーションは、サブフレームセットにおけるサブフレームのサブフレームタイプを識別し、前記サブフレームは、第１電力サブフレームを含み、前記第１電力サブフレームは、低電力またはゼロ電力を用いることによりデータまたは制御信号を送信するサブフレームである送信ユニットと、
を備え、
前記送信ユニットは、更に、前記ユーザ装置ＵＥに第２情報を送信するように構成され、前記第２情報は、前記第１電力サブフレームにおけるデータ送信のためのリソースエレメントごとのエネルギーＥＰＲＥを示し、前記第１電力サブフレームにおけるデータ送信のためのＥＰＲＥは、前記ユーザ装置ＵＥにより第２情報および第２電力サブフレームにおけるデータ送信のためのＥＰＲＥに従って決定され、
ここで、前記サブフレームは、更に、前記第２電力サブフレームを含み、前記第２電力サブフレームは、通常の電力を用いることによりデータまたは制御信号を送信するためのサブフレームである、基地局。
【請求項１１】
前記送信ユニットは、更に、前記ユーザ装置ＵＥに、前記第１電力サブフレームにおけるデータ送信のためのＥＰＲＥの上限値を送信するように構成され、前記ユーザ装置ＵＥは、前記上限値と前記第２電力サブフレームにおけるデータ送信のためのＥＰＲＥとのうち、小さい方が、第１電力サブフレームにおけるデータ送信のためのＥＰＲＥであると決定する、請求項１０に記載の基地局。
【請求項１２】
前記送信ユニットは、更に、前記ユーザ装置ＵＥに、前記第１電力サブフレームにおけるデータ送信のためのＥＰＲＥと前記第２電力サブフレームにおけるデータ送信のためのＥＰＲＥとの差または比を送信するように構成される、請求項１０に記載の基地局。
【発明の詳細な説明】
【技術分野】
【０００１】
本願は、“サブフレーム情報を送信するための方法、ユーザ装置、および基地局”と題され、２０１１年１２月３１日に出願された中国特許出願第ＣＮ２０１１１０４５９１０５．Ｘに対して優先権を主張し、その出願の内容は参照することによりそっくりそのまま本明細書に組み込まれる。
【０００２】
本発明の実施形態は、通信の分野に関し、特に、サブフレーム情報を送信するための方法、ユーザ装置(user equipment)、基地局(base station)に関する。
【背景技術】
【０００３】
現今、ＩＣＩＣ（Inter-Cell Interference Coordination）を実施するために、ＴＤＭ(Time-Division Multiplexing, 時分割多重化)のＩＣＩＣ(Inter-Cell Interference Coordination, セル間干渉制御)方式が用いられている。この方式によれば、干渉を受ける基地局のデータ送信に関する干渉を低減するために、干渉を与える基地局がデータ伝送中に電力制御を実施する必要がある。一般に、干渉を受ける基地局のデータ送信を保護するために、干渉を与える基地局は、いくつかのサブフレームに低いデータ送信電力を設定する。このとき、干渉を与える基地局が干渉を受ける基地局を保護するための電力を設定するサブフレームは、第１電力サブフレーム(a first power subflame)と称される。
【０００４】
例えば、第１電力サブフレームは、ＡＢＳ(Almost Blank Subflame, 殆ど空のサブフレーム)である。ＡＢＳは、干渉を受ける基地局に対する干渉を低減するために、低電力(low power)またはゼロ電力(zero power)を用いることによりデータおよび関連の制御信号を送信する。それに対応して、干渉を与える基地局が通常は干渉を受ける基地局を保護するためではない電力を設定するサブフレームは、第２電力サブフレーム(a second power subflame)と称される。例えば、第２電力サブフレームは、通常(normal)のサブフレームである。例えば、第１電力サブフレームおよび第２電力サブフレームは、異なるサブフレームタイプのサブフレームである。基地局は、ユーザ装置(user equipment)のチャネル状態に応じて、ユーザ装置のデータ送信に対して異なるサブフレームタイプを設定してもよい。
【０００５】
例えば、マクロ基地局(macro base station)およびホームノードＢ(home NodB)が、連帯していくつかのＵＥ(User Equipment, ユーザ装置)をカバーする場合、これらのＵＥは、ホームノードＢのユーザではなく、従ってこれらのＵＥは、ホームノードＢをアクセスすることはできず、マクロ基地局しかアクセスすることができない。しかしながら、マクロ基地局のユーザ装置は、深刻な干渉を受け、正常な通信を実施することができない。従って、ホームノードＢは、第１電力サブフレームを設定(configure)する必要があり、マクロ基地局は、通信を実施するためには、上記の深刻な干渉を受けるＵＥを、ホームノードＢによって設定された第１電力サブフレームに対応するサブフレームにスケジュール(schedule)してもよい。
【０００６】
別な例としては、マクロ基地局およびピコ基地局(Pico base station)が共存する場合、ピコ基地局のＵＥはマクロ基地局から干渉を受ける。従って、マクロ基地局は、第１電力サブフレームを設定する必要があり、ピコ基地局は、マクロ基地局に対応する第１電力サブフレームのロケーション(location)で、干渉を受けるＵＥであってピコ基地局によって支援されるＵＥをスケジュールし、これにより、ピコ基地局によって支援されるＵＥが受ける干渉を低減する。
【０００７】
従って、干渉を与える基地局によって支援されるＵＥについては、前述の二つのサブフレームタイプが存在する。従来技術では、ＵＥは、異なるサブフレームタイプに関するデータ復調またはチャネルステート情報(Channel State Information, CSI)の通知を実施することができない。
【発明の概要】
【発明が解決しようとする課題】
【０００８】
本発明の実施形態は、異なるサブフレームをＵＥが認識することを可能とするために、サブフレーム情報を送信するための方法、ユーザ装置、および基地局を提供する。
【課題を解決するための手段】
【０００９】
本発明の一態様によれば、サブフレーム情報を送信するための方法が提供され、前記方法は、ラジオリソースコントロールＲＲＣ専用シグナリング、またはメディアアクセスコントロールＭＡＣシグナリング、または物理レイヤコントロールシグナリングを用いることにより、基地局からサブフレームコンフィギュレーションを示す第１情報を取得するステップと；前記第１情報に従って、前記サブフレームを決定するステップとを含み、前記サブフレームコンフィギュレーションは、サブフレームセットにおけるサブフレームのサブフレームタイプを識別し、前記サブフレームは、少なくとも一つの第１電力サブフレームを含み、前記第１電力サブフレームは、低電力またはゼロ電力を用いることによりデータまたは制御信号を送信するためのサブフレームである。
【００１０】
他の態様によれば、サブフレーム情報を送信するための方法が提供され、前記方法は、ラジオリソースコントロールＲＲＣ専用シグナリング、またはメディアアクセスコントロールＭＡＣシグナリング、または物理レイヤコントロールシグナリングを用いることにより、ユーザ装置が第１情報に従ってサブフレームコンフィギュレーションを決定するように、前記ユーザ装置へ前記サブフレームコンフィギュレーションを示す第１情報を送信するステップを含み、前記サブフレームコンフィギュレーションは、サブフレームセットにおけるサブフレームのサブフレームタイプを識別し、前記サブフレームは、少なくとも一つの第１電力サブフレームを含み、前記第１電力サブフレームは、低電力またはゼロ電力を用いることによりデータまたは制御信号を送信するためのサブフレームである。
【００１１】
他の態様によれば、サブフレームを送信するためのユーザ装置が提供され、前記ユーザ装置は、ラジオリソースコントロールＲＲＣ専用シグナリング、またはメディアアクセスコントロールＭＡＣシグナリング、または物理レイヤコントロールシグナリングを用いることにより、基地局からサブフレームコンフィギュレーションを示す第１情報を取得するように構成された取得ユニットと；前記第１情報に従って、前記サブフレームコンフィギュレーションを決定するように構成された決定ユニットとを備え、前記サブフレームコンフィギュレーションは、サブフレームセットにおけるサブフレームのサブフレームタイプを識別し、前記サブフレームは、少なくとも一つの第１電力サブフレームを含み、前記第１電力サブフレームは、低電力またはゼロ電力を用いることによりデータまたは制御信号を送信するためのサブフレームである。
【００１２】
他の態様によれば、サブフレーム情報を送信するための基地局が提供され、前記基地局は、サブフレームコンフィギュレーションを示す第１情報を決定するように構成された決定ユニットと、ラジオリソースコントロールＲＲＣ専用シグナリング、またはメディアアクセスコントロールＭＡＣシグナリング、または物理レイヤコントロールシグナリングを用いることにより、ユーザ装置ＵＥが第１情報に従ってサブフレームコンフィギュレーションを決定するように、前記第１情報を前記ユーザ装置ＵＥに送信するように構成された送信ユニットとを備え、前記サブフレームコンフィギュレーションは、サブフレームセットにおけるサブフレームのサブフレームタイプを識別し、前記サブフレームは、少なくとも一つの第１電力サブフレームを含み、前記第１電力サブフレームは、低電力またはゼロ電力を用いることによりデータまたは制御信号を送信するためのサブフレームである。
【００１３】
本発明の実施形態において、基地局は、異なるサブフレームタイプをＵＥが識別することを可能とするように、サブフレームコンフィギュレーションを示す情報を前記ＵＥに送信する。
【００１４】
本発明の実施形態において技術的解法をより明確に説明するために、次に、実施形態または従来技術を説明するために必要な添付の図面を簡単に説明する。明らかに、次に述べる添付の図面は、単に本発明のいくつかの実施形態を示すものに過ぎず、当業者であれば、創作的な努力を要することなく、これら添付の図面から更に他の図面を導き出すことができる。
【図面の簡単な説明】
【００１５】
【図１】本発明の実施形態によるサブフレーム情報を送信するための方法の図式的フローチャートである。
【図２】本発明の他の実施形態によるサブフレーム情報を送信するための方法の図式的フローチャートである。
【図３】本発明の実施形態によるサブフレームエネルギー情報を取得するための方法の図式的フローチャートである。
【図４】本発明の実施形態によるエネルギー関係を示すための方法の図式的フローチャートである。
【図５】本発明の実施形態によるサブフレーム情報を送信するためのユーザ装置のブロック図である。
【図６】本発明の実施形態によるサブフレーム情報を送信するための基地局のブロック図である。
【発明を実施するための形態】
【００１６】
次に、本発明の実施形態における添付の図面を参照して、明確かつ十分に、本発明の実施形態における技術的解法を説明する。明らかに、以下に述べる実施形態は、本発明の実施形態の全てというよりも一部に過ぎない。創作的努力を要することなく本発明の実施形態に基づき当業者によって得られる他のすべての実施形態は、本発明の保護範囲に含まれる。
【００１７】
本発明の技術的解法は、例えば、ＧＳＭ、符号分割多重接続（ＣＤＭＡ、Ｃｏｄｅ  Ｄｉｖｉｓｉｏｎ  Ｍｕｌｔｉｐｌｅ  Ａｃｃｅｓｓ）システム、広帯域ＣＤＭＡ（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、及びロングタームエボリューション（ＬＴＥ，Ｌｏｎｇ  Ｔｅｒｍ  Ｅｖｏｌｕｔｉｏｎ）等、種々の通信システムに適用し得る。
【００１８】
移動端末（Ｍｏｂｉｌｅ  Ｔｅｒｍｉｎａｌ）とも呼ばれるユーザ装置（ＵＥ，Ｕｓｅｒ  Ｅｑｕｉｐｍｅｎｔ）や、モバイルユーザ装置等は、無線アクセスネットワーク（例えば、ＲＡＮ，Ｒａｄｉｏ  Ａｃｃｅｓｓ  Ｎｅｔｗｏｒｋ）を用いることにより、１つ以上のコアネットワーク(core network)と通信することができる。ユーザ装置は、携帯電話（または、“セルラー”と呼ばれる電話）や移動端末に備えられたコンピュータであり、例えば、例えば、ポータブル、ポケットサイズ、ハンドヘルド、コンピュータ組み込み、または車載の移動装置であり、無線アクセスネットワークと音声および／またはデータを交換する。
【００１９】
基地局は、ＧＳＭまたはＣＤＭＡにおけるベーストランシーバ局（ＢＴＳ、Ｂａｓｅ  Ｔｒａｎｓｃｅｉｖｅｒ  Ｓｔａｔｉｏｎ）であってもよく、また、ＷＣＤＭＡにおけるノードＢ（ＮｏｄｅＢ）であってもよく、更に、ＬＴＥにおける改良ノードＢ（ｅＮＢ、または、ｅ−Ｎｏｄｅ  Ｂ、ｅｖｏｌｕｔｉｏｎａｌ  Ｎｏｄｅ  Ｂ）であってもよく、それは本発明において限定されない。
【００２０】
図１は、本発明の実施形態によるサブフレーム情報を送信するための方法の図式的フローチャートである。図１における方法は、ＵＥによって実行される。
【００２１】
１１０：ラジオリソースコントロール（Ｒａｄｉｏ  Ｒｅｓｏｕｒｃｅ  Ｃｏｎｔｒｏｌ，ＲＲＣ）専用シグナリング、またはメディアアクセスコントロール（Ｍｅｄｉａ  Ａｃｃｅｓｓ  Ｃｏｎｔｒｏｌ，ＭＡＣ）シグナリング、または物理レイヤコントロールシグナリングを用いることにより、基地局からサブフレームコンフィギュレーションを示す第１情報を取得する。
【００２２】
１２０：上記第１情報に従って、サブフレームコンフィギュレーションを決定し、ここで、上記サブフレームコンフィギュレーションは、サブフレームセットのサブフレームタイプを識別し、上記サブフレームは、少なくとも一つの第１電力サブフレームを含み、上記第１電力サブフレームは、低電力またはゼロ電力を用いることにより、データまたは制御信号を送信するためのサブフレームである。
【００２３】
本発明の実施形態において、基地局は、異なるサブフレームタイプをＵＥが認識することを可能とするように、サブフレームコンフィギュレーションを示す情報を上記ＵＥに送信し、これにより、異なるサブフレームに関するＣＳＩ通知とデータ復調を改善する。
【００２４】
本発明の実施形態において、当然のことながら、サブフレームセットは、時間長(time length)内に含まれるサブフレームにより形成されるサブフレームセットに関するものであってもよい。上記時間長は、一つのラジオフレーム、または複数のラジオフレーム、または一つのサブフレーム、または複数のサブフレームによって形成される時間範囲(time range)であり得る。上記サブフレームセットは、１以上のサブフレームを含み得る。
【００２５】
当然のことながら、第１電力サブフレームは、低電力ＡＢＳであってもよく、また、ゼロ電力ＡＢＳであってもよい。これは本発明の実施形態に制限されない。
【００２６】
随意的に、実施形態として、ＵＥは、ＲＲＣ専用シグナリングを用いることにより、基地局から第１情報を取得し得る。当然のことながら、上記専用シグナリングは、一つのＵＥ、またはＵＥの一つグループに固有であってもよい。しかしながら、放送シグナリング(broadcast signaling)は、セル内の全てのＵＥのためのものである。
【００２７】
随意的に、他の実施形態として、ＵＥは、ＭＡＣシグナリングを用いることにより、基地局から第１情報を取得してもよい。例えば、ＭＡＣプロトコルデータユニット（Ｐｒｏｔｏｃｏｌ  Ｄａｔａ  Ｕｎｉｔ，ＰＤＵ）のヘッダ（ｈｅａｄｅｒ）またはサブヘッダにマーク(mark)が付加されてもよく、ここで、上記マークは、第１情報が、ＭＡＣコントロールエレメント（Ｃｏｎｔｒｏｌ  Ｅｌｅｍｅｎｔ）またはＭＡＣサービスデータユニット（Ｓｅｒｖｉｃｅ  Ｄａｔａ  Ｕｎｉｔ、ＳＤＵ）によって負担(bear)されることを示し得る。換言すれば、新たなＭＡＣコントロールエレメントまたはＭＡＣサービスデータユニットは、ＭＡＣ ＰＤＵにおいて規定されてもよく、上記コントロールエレメントまたは上記サービスデータユニットのビットは上記第１情報を負担(bear)するために使用される。
【００２８】
随意的には、他の実施形態として、ＵＥは、また、物理レイヤコントロールシグナリングを用いることにより、基地局から上記第１情報を取得してもよい。例えば、物理ダウンリンクコントロールチャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）または新たに付加されたビットで負担される冗長ビット（ｂｉｔ）は、サブフレームコンフィギュレーションを示すために使用され得る。具体的には、上記冗長ビットに関する情報は、ページング（Ｐａｇｉｎｇ）チャネルスケジューリング情報を負担するＰＤＣＣＨ、またはＳＩＢ１スケジューリング情報を負担するＰＤＣＣＨ、または物理ランダムアクセスチャネル（Ｐｈｙｓｉｃａｌ  ｒａｎｄｏｍ  ａｃｃｅｓｓ  ｃｈａｎｎｅｌ，ＰＲＡＣＨ）スケジューリング情報を負担するＰＤＣＣＨを用いることにより、取得され得る。更に、時分割複信（Ｔｉｍｅ  Ｄｉｖｉｓｉｏｎ  Ｄｕｐｌｅｘｉｎｇ，ＴＤＤ）／周波数分割複信（Ｆｒｅｑｕｅｎｃｙ  Ｄｉｖｉｓｉｏｎ  Ｄｕｐｌｅｘｉｎｇ，ＦＤＤ）システムについては、ページングチャネルは、通常、番号０／番号９サブフレームに配置され、従って、ＵＥは、番号０／番号９サブフレームにおけるページングチャネルをスケジュールするＰＤＣＣＨにおける予約フィールド、即ち、冗長ビットを検出し、そして、番号０／番号９サブフレームに続く時間の期間内のサブフレームコンフィギュレーションを把握し得る。加えて、ＳＩＢ１情報は、２０ｍ秒ごとに一回送信され、即ち、各偶数番号のラジオフレームにおける番号５サブフレームで送信され、従って、番号５サブフレームに続く時間の期間内のサブフレームコンフィギュレーションを把握するのに、ＵＥは、同様に、ＳＩＢ１スケジューリング情報のＰＤＣＣＨにおける予約フィールド、即ち冗長ビットを検出すればよい。ＰＲＡＣＨチャネルについても同様のプロセスが存在し、即ち、ＰＲＡＣＨチャネルの予約フィールドは、時間の期間内のサブフレームコンフィギュレーションを把握するために検出され得る。もちろん、ＵＥは、また、他の物理レイヤシグナリングを用いることにより、第１情報を取得してもよい。これは本発明の実施形態に制限されない。加えて、ＵＥは、また、ＲＲＣ放送シグナリングを用いることにより、基地局から第１情報を取得してもよい。例えば、ＲＲＣ放送シグナリングは、既存のＲＲＣ放送シグナリングにおいて負担されてもよく、例えば、冗長ビット情報、新たに付加された情報エレメント（Ｉｎｆｏｒｍａｔｉｏｎ  Ｅｌｅｍｅｎｔ，ＩＥ）、拡張フィールド、または既存のＲＲＣ放送シグナリングにおいて新たに付加されたビット情報を用いることによりサブフレームコンフィギュレーションを示すために、物理放送チャネル（Ｐｈｙｓｉｃａｌ  ｂｒｏａｄｃａｓｔ  ｃｈａｎｎｅｌ，ＰＢＣＨ）またはシステム情報ブロック（Ｓｙｓｔｅｍ  ｉｎｆｏｒｍａｔｉｏｎ  ｂｌｏｃｋ、ＳＩＢ）、例えば、ＳＩＢ１／ＳＩＢ−２／ＳＩＢ−３において負担されてもよい。加えて、このシグナリングは、また、他の放送シグナリングにおいて負担されてもよく、これは本発明の実施形態に制限されない。
【００２９】
加えて、前述のシグナリングは、ビットマップ（ｂｉｔｍａｐ）フォームを採用することができ、また、二値の組み合わせ(binary combination)を採用することもできる。これは本発明の実施形態に制限されない。例えば、ビットマップフォームは、サブフレームコンフィギュレーションを示すために採用され、各ビットは、単一のサブフレームのサブフレームタイプを示すために使用されてもよく、例えば、サブフレームタイプが第１電力サブフレームであることを示すために使用されてもよい。例えば、Ｘ個のビットの各ビットは、Ｘ個のサブフレームの各サブフレームが第１電力サブフレームであることを示すために使用され得る。もし複数のサブフレームが一定期間ごとに出現すれば、Ｘ個のビットの各ビットは、上記期間内のＸ個のサブフレームのインターバルで出現する複数のサブフレームが第１電力サブフレームであることを示すために使用され得る。
【００３０】
随意的に、他の実施形態として、ＵＥは、基地局からデータ送信のための第２情報を取得してもよく、ここで、上記第２情報は、第１電力サブフレームにおけるデータ送信のためのリソースエレメントごとのエネルギー（Ｅｎｅｒｇｙ  Ｐｅｒ  Ｒｅｓｏｕｒｃｅ  Ｅｌｅｍｅｎｔ，ＥＰＲＥ）を示す。第２情報に従って、第１電力サブフレームにおけるデータ送信のためのＥＰＲＥが決定される。
【００３１】
本発明の実施形態において、第１電力サブフレームにおけるデータ送信のためのＥＰＲＥは、ＵＥが、データ復調および検出を実施するために第１電力サブフレームにおけるデータ送信のためのＥＰＲＥを正しく使用することができるように、基地局からＵＥによって取得された情報に従って決定される。
【００３２】
随意的に、他の実施形態として、第２情報は、第１電力サブフレームにおけるデータ送信のためのＥＰＲＥの上限値であり、サブフレームが第２電力サブフレームを更に含む場合、ＵＥは、基地局から第２電力サブフレームにおけるデータ送信のためのＥＰＲＥを取得し、そして、第２電力サブフレームにおけるデータ送信のためのＥＰＲＥと上限値とのうち、小さい方が、第１電力サブフレームにおけるデータ送信のためのＥＰＲＥであると決定してもよく、ここで、第２電力サブフレームは、通常の電力を用いることによりデータまたは制御信号を送信するためのサブフレームである。例えば、第２電力サブフレームは、通常のサブフレームであり得る。
【００３３】
例えば、システムが二つの基地局を有しているとし、これら基地局はそれぞれ、基地局１と基地局２であり、基地局１はマクロ（Ｍａｃｒｏ）基地局であり、基地局２はピコ（Ｐｉｃｏ）基地局であるとすれば、基地局１の平均送信電力は基地局２の平均送信電力よりも大きい。基地局１には、二つのユーザ装置が存在し、一つはエッジユーザ装置ＵＥ１であり、他の一つはセントラルユーザ装置ＵＥ２である。
【００３４】
一態様において、基地局２での干渉を低減するために、基地局１は、いくつかのサブフレームのサブフレームタイプを、低電力送信サブフレームまたはゼロ電力送信サブフレームに設定してもよく、そして、上記低電力送信サブフレームまたはゼロ電力送信サブフレームは、第１電力サブフレームと称され得る。例えば、基地局１は、サブフレームｘを低電力送信サブフレームまたはゼロ電力送信サブフレームに設定し、そしてサブフレームｘは、基地局１が基地局２のデータ送信を保護するために電力を制限するサブフレームであり、そして上記サブフレームｘのサブフレームタイプは第１電力サブフレームである。
【００３５】
他の態様において、エッジユーザ装置のデータ送信を保護するため、基地局１は、更に、エッジユーザ装置ＵＥ１とセントラルユーザ装置ＵＥ２のための通常のサブフレームにおいて通常の送信電力を用いることにより、データ送信を実施する必要がある。ここで、上記の通常のサブフレームは、このサブフレームにおいて、基地局１がエッジユーザ装置ＵＥ１およびセントラルユーザ装置ＵＥ２の通常のデータ検出に必要とされる送信電力を制限しないことを意味し、この通常のサブフレームは、第２電力サブフレームと呼ばれ得る。例えば、基地局１は、サブフレームｙのサブフレームタイプを第２電力サブフレームに設定してもよい。ＵＥ１とＵＥ２から基地局１までの距離が異なることを考慮すると、サブフレームｙで必要とされる送信電力は、ＵＥ１とＵＥ２とで異なり、例えば、サブフレームｙにおいてＵＥ１に必要とされる送信電力は、サブフレームｙにおいてＵＥ２に必要とされる送信電力よりも大きい。
【００３６】
初めにＵＥ２が基地局１に非常に近いとすると、基地局１は、サブフレームｙにおいてＵＥ２によるデータ送信のためのＥＰＲＥをＡに設定する。同時に、基地局１は、サブフレームｘにおけるデータ送信のためのＥＰＲＥの上限値をＢに設定する。Ｂは、基地局１によって考慮されるＥＰＲＥの上限値であり、基地局２に対する深刻な干渉を生じさせない。基地局１は、サブフレームｘのサブフレームタイプが第１電力サブフレームであることを、シグナリングを用いることによりＵＥ２に通知し、そして、このとき、ＵＥ２は、サブフレームｘにおけるデータ送信のためのＥＰＲＥとして、ＡとＢのうち、小さい方をとる。ＵＥ２が上記基地局に非常に近い場合、ＡがＢより小さければ、ＵＥ２は、サブフレームｘにおけるデータ送信のためのＥＰＲＥとして、ＡとＢのうち、小さい方をとる。ＵＥ２がセルのエッジに移動した場合、ＵＥ２は、上記基地局からさらにいっそう遠くなる。もし、基地局１が、サブフレームｙにおけるＵＥ２によるデータ送信のためのＥＰＲＥの値を地理的位置(geographical location)でＣに設定し、ＣがＢより大きければ、ＵＥ２は、サブフレームｘにおけるデータ送信のためのＥＰＲＥとして、ＣとＢとのうち、小さい方のＢをとる。
【００３７】
加えて、第２電力サブフレームにおけるＥＰＲＥを取得するための方法について、従来技術を参照してもよい。その方法はここでは説明しない。
【００３８】
随意的に、他の実施形態として、第２情報が、第１電力サブフレームにおけるデータ送信のためのＥＰＲＥと第２電力サブフレームにおけるデータ送信のためのＥＰＲＥとの間の差(difference)またはレシオ(ratio)であり、サブフレームが、更に、第２電力サブフレームを含む場合、ＵＥは、基地局から第２電力サブフレームにおけるデータ送信のためのＥＰＲＥを取得し、そして、第２電力サブフレームにおけるデータ送信のためのＥＰＲＥと上記差に従って、または、第２電力サブフレームにおけるデータ送信のためのＥＰＲＥと上記レシオに従って、第１電力サブフレームにおけるデータ送信のためのＥＰＲＥを決定してもよく、ここで、第２電力サブフレームは、通常の電力を用いることによりデータまたは制御信号を送信するためのサブフレームである。例えば、ＵＥは、第１電力サブフレームにおけるデータ送信のためのＥＰＲＥを決定するために、第２電力サブフレームにおけるデータ送信のためのＥＰＲＥに上記差をプラスしたものを使用してもよい。あるいは、ＵＥは、第１電力サブフレームにおけるデータ送信のためのＥＰＲＥを決定するために、第２電力サブフレームにおけるデータ送信のためのＥＰＲＥに上記レシオを乗算したものを使用してもよい。第２電力サブフレームにおけるＥＰＲＥを取得するための方法については、従来技術を参照してもよい。ここでは、この方法は説明しない。
【００３９】
随意的に、他の実施形態として、第２情報は、第１電力サブフレームにおけるデータ送信のためのＥＰＲＥであってもよい。
【００４０】
随意的に、他の実施形態として、ＲＲＣ専用シグナリング、またはＭＡＣシグナリング、または物理レイヤシグナリングを用いることにより、ＵＥは、基地局から第２情報を取得してもよい。
【００４１】
例えば、ＵＥは、ＲＲＣ専用シグナリングを用いることにより、基地局から第２情報を取得してもよい。また、ＵＥは、物理レイヤシグナリングを用いることにより、基地局から第２情報を取得してもよい。例えば、ＰＤＣＣＨにおいて負担される新たに付加されたビットまたは冗長ビットは、第２情報を示すために使用され得る。具体的には、冗長ビットに関する情報は、ページングチャネルスケジューリング情報を負担するＰＤＣＣＨ、またはＳＩＢ１スケジューリング情報を負担するＰＤＣＣＨ、またはＰＲＡＣＨスケジューリング情報を負担するＰＤＣＣＨを用いることにより取得されてもよい。更に、ＴＤＤ／ＦＤＤシステムについて、ページングチャネルは、通常、番号０／番号９サブフレームに配置され、従って、ＵＥは、番号０／番号９サブフレームにおけるページングチャネルをスケジュールするＰＤＣＣＨにおける予約フィールド、即ち、冗長ビットを検出し、番号０／番号９サブフレームに続く時間の期間内の第２情報を把握してもよい。加えて、ＳＩＢ１情報は、２０ｍ秒ごとに１回送信され、即ち、各偶数のラジオフレームにおける番号５サブフレームにおいて送信され、従って、ＵＥは、番号５サブフレームに続く時間の期間内の第２情報を把握するのに、同様に、ＳＩＢ１スケジューリング情報のＰＤＣＣＨにおける予約フィールド、即ち、冗長ビットを検出すればよい。ＰＲＡＣＨチャネルについても同様のプロセスが存在し、即ち、ＰＲＡＣＨチャネルの予約フィールドは、時間の期間内の第２情報を把握するために検出されてもよい。もちろん、ＵＥは、また、他の物理レイヤシグナリングを用いることにより、第２情報を取得してもよい。加えて、ＵＥは、また、ＭＡＣシグナリングを用いることにより、基地局から第２情報を取得してもよい。例えば、マークが、ＭＡＣプロトコルデータユニット（Ｐｒｏｔｏｃｏｌ  Ｄａｔａ  Ｕｎｉｔ，ＰＤＵ）のヘッダ（ｈｅａｄｅｒ）またはサブヘッダに付加されてもよく、ここで、上記マークは、第２情報がＭＡＣコントロールエレメント（Ｃｏｎｔｒｏｌ  Ｅｌｅｍｅｎｔ）またはＭＡＣサービスデータユニット（Ｓｅｒｖｉｃｅ  Ｄａｔａ  Ｕｎｉｔ，ＳＤＵ）によって負担されることを示してもよい。換言すれば、新たなＭＡＣコントロールエレメントまたはＭＡＣサービスデータユニットは、ＭＡＣ ＰＤＵにおいて規定されてもよく、そして、上記コントロールエレメントまたはサービスデータユニットのビットは、第２情報を負担するために使用される。
【００４２】
加えて、ＵＥは、また、ＲＲＣ放送シグナリングを用いることにより基地局から第２情報を取得してもよい。ＲＲＣ放送シグナリングは、既存のＲＲＣ放送シグナリングにおいて負担されてもよく、例えば、既存のＲＲＣ放送シグナリングにおける、冗長ビット情報、新たに付加されたＩＥ、拡張フィールド、または新たに付加されたビット情報を用いることにより第２情報を示すために、ＰＢＣＨまたはＳＩＢ、例えば、ＳＩＢ１／ＳＩＢ−２／ＳＩＢ−３において負担されてもよい。加えて、これはまた、他の放送シグナリングにおいて負担されてもよい。これは本発明の実施形態に限定されない。加えて、前述のシグナリングは、ビットマップフォームを採用してもよく、そして、また、２値の組み合わせの形式を採用してもよい。これは本発明の実施形態に制限されない。
【００４３】
当然ながら、本発明の実施形態において、第１電力サブフレームにおけるデータ送信のためのＥＰＲＥは、第１電力サブフレームにおけるデータ送信のための物理リソースの電力またはエネルギーと同じ意味で用いられ、即ち、第２情報は、第１電力サブフレームにおけるデータ送信のための物理リソースの電力またはエネルギーを示してもよい。第２電力サブフレームにおけるデータ送信のためのＥＰＲＥは、また、第２電力サブフレームにおけるデータ送信のための物理リソースの電力またはエネルギーと同じ意味で用いられる。物理リソースは、リソースエレメント（Ｒｅｓｏｕｒｃｅ  Ｅｌｅｍｅｎｔ，ＲＥ）、物理リソースブロック（Ｐｈｙｓｉｃａｌ  Ｒｅｓｏｕｒｃｅ  Ｂｌｏｃｋ，ＰＲＢ）、サブバンド（Ｓｕｂｂａｎｄ）、キャリア、タイムシンボル（Ｓｙｍｂｏｌ）、およびタイムスロットのうちの少なくとも一つであり得る。これは本発明の実施形態に制限されない。
【００４４】
図２は、本発明の他の実施形態によるサブフレーム情報を送信するための方法の図式的フローチャートである。図２の方法は、基地局によって実行される。
【００４５】
２１０：ＵＥが第１情報に従ってサブフレームコンフィギュレーションを決定することができるように、ＲＲＣ専用シグナリング、またはＭＡＣシグナリング、または物理レイヤコントロールシグナリングを通じて、サブフレームコンフィギュレーションを示す第１情報をＵＥに送信し、ここで、上記サブフレームコンフィギュレーションは、サブフレームセットにおけるサブフレームのサブフレームタイプを識別し、上記サブフレームは、少なくとも一つの第１電力サブフレームを含み、上記第１電力サブフレームは、低電力またはゼロ電力を用いることによりデータまたは制御信号を送信するためのサブフレームである。
【００４６】
本発明の実施形態において、異なるサブフレームタイプをＵＥが認識することを可能とするために、基地局は、サブフレームコンフィギュレーションを示す情報をＵＥに送信し、これにより、異なるサブフレームに関するＣＳＩ通知およびデータ復調を実施する。
【００４７】
当然ながら、本発明の実施形態において、サブフレームは、時間長内に含まれるサブフレームから構成されるサブフレームセットに関するものであり得る。上記時間長は、一つのラジオフレーム、または複数のラジオフレーム、または一つのサブフレーム、または複数のサブフレームからなる時間範囲であり得る。上記サブフレームセットは、１以上のサブフレームを含んでもよい。
【００４８】
当然ながら、第１電力サブフレームは、低電力ＡＢＳであってもよく、また、ゼロ電力ＡＢＳであってもよい。これは本発明の実施形態に制限されない。
【００４９】
随意的に、一実施形態として、基地局は、ＲＲＣ専用シグナリングを用いることによりＵＥに第１情報を送信してもよい。当然のことながら、上記専用シグナリングは、一つのＵＥに対するものであってもよく、またはＵＥの一つのグループに対するものであってもよい。しかしながら、放送シグナリングは、セル内のすべてのＵＥに対するものである。即ち、基地局は、ＲＲＣ専用シグナリングを用いることにより、一つのＵＥに第１情報を送信してもよく、また、ＲＲＣ専用シグナリングを用いることにより、ＵＥの一つのグループに第１情報を送信してもよい。
【００５０】
随意的に、他の実施形態として、基地局は、ＭＡＣシグナリングを用いることによりＵＥに第１情報を送信してもよい。例えば、マークが、ＭＡＣプロトコルデータユニットのヘッダまたはサブヘッダに付加されてもよく、ここで、上記マークは、第１情報が、ＭＡＣコントロールエレメントまたはＭＡＣサービスデータユニットによって負担されることを示してもよい。換言すれば、新たなＭＡＣコントロールエレメントまたはＭＡＣサービスデータユニットは、ＭＡＣ ＰＤＵにおいて規定されてもよく、上記コントロールエレメントまたは上記サービスデータユニットのビットは、第１情報を負担(bear)するために使用される。
【００５１】
随意的に、他の実施形態として、基地局は、物理レイヤコントロールシグナリングを用いることにより、ＵＥに第１情報を送信してもよい。例えば、基地局は、サブフレームコンフィギュレーションを示すために、ＰＤＣＣＨにおいて負担される新たに付加されるビットまたは冗長ビットを用いてもよい。具体的には、冗長ビットに関する情報は、ページングチャネルスケジューリング情報を負担するＰＤＣＣＨ、またはＳＩＢ１スケジューリング情報を負担するＰＤＣＣＨ、またはＰＲＡＣＨスケジューリング情報を負担するＰＤＣＣＨを用いることにより取得されてもよい。更に、ＴＤＤ／ＦＤＤシステムについて、ページングチャネルは、通常、番号０／番号９サブフレームに配置され、従って、番号０／番号９サブフレームに続く時間の期間内のサブフレームコンフィギュレーションをＵＥに通知するために、基地局は、番号０／番号９サブフレームにおいてページングチャネルをスケジュールするＰＤＣＣＨにおいて、予約フィールド、即ち冗長ビットを設定してもよい。加えて、ＳＩＢ１情報は、２０ｍ秒ごとに１回送信され、即ち、各偶数のラジオフレームにおける番号５サブフレームにおいて送信され、従って、番号５サブフレームに続く時間の期間内のサブフレームコンフィギュレーションをＵＥに通知するのに、基地局は、同様に、ＳＩＢ１スケジューリング情報のＰＤＣＣＨに、予約フィールド、即ち冗長ビットを設定すればよい。ＰＲＡＣＨチャネルについても同様のプロセスが存在し、即ち、基地局は、時間の期間内のサブフレームコンフィギュレーションをＵＥに通知するためにＰＲＡＣＨチャネルにおいて予約フィールドを設定すればよい。もちろん、基地局は、また、他の物理レイヤシグナリングを用いることにより、ＵＥに第１情報を送信してもよい。これは本発明の実施形態に制限されない。
【００５２】
加えて、基地局は、また、ＲＲＣ放送シグナリングを用いることにより、ＵＥに第１情報を送信してもよい。例えば、ＲＲＣ放送シグナリングは、既存のＲＲＣ放送シグナリングにおいて負担されてもよく、例えば、ＲＲＣ放送シグナリングにおける、冗長ビット情報、新たに付加されたＩＥ、拡張フィールド、または新たに付加されたビット情報を用いることによりサブフレームコンフィギュレーションを示すために、ＰＢＣＨまたはＳＩＢ、例えば、ＳＩＢ１／ＳＩＢ−２／ＳＩＢ−３において負担されてもよい。加えて、このシグナリングは、また、他の放送シグナリングにおいて負担されてもよい。これは本発明の実施形態に制限されない。
【００５３】
加えて、前述のシグナリングは、ビットマップフォームを採用してもよく、また、２値の組み合わせの形式を採用してもよい。これは本発明の実施形態に制限されない。例えば、サブフレームコンフィギュレーションを示すためにビットマップフォームが採用される場合、各ビットは、単一のサブフレームのタイプを示すために使用され、例えば、サブフレームタイプが第１電力サブフレームであることを示すために使用される。例えば、Ｘ個のビットの各ビットは、Ｘ個のサブフレームの各サブフレームが第１電力サブフレームであることを示すために使用され得る。もし、複数のサブフレームが一定期間ごとに出現すれば、Ｘビットの各ビットは、上記期間内にＸ個のサブフレームのインターバルで出現する複数のサブフレームが第１電力サブフレームであることを示すために使用され得る。
【００５４】
随意的に、他の実施形態として、ＵＥが、第２情報に従って第１電力サブフレームにおけるデータ送信のためのＥＰＲＥを決定することができるように、基地局は、また、第１電力サブフレームにおけるデータ送信のためのＥＰＲＥを示す第２情報をＵＥに送信してもよい。
【００５５】
本発明の実施形態において、ＵＥが、データ復調および検出を実施するのに第１電力サブフレームにおけるデータ送信のためのＥＰＲＥを正しく使用することができるように、第１電力サブフレームにおけるデータ送信のためのＥＰＲＥは、基地局からＵＥによって取得される情報に従って決定される。
【００５６】
随意的に、他の実施形態として、サブフレームが、更に、第２電力サブフレームを含む場合、基地局は、ＵＥが、第１電力サブフレームにおけるデータ送信のためのＥＰＲＥの上限値と第２電力サブフレームにおけるデータ送信のためのＥＰＲＥとのうち、小さい方が第１電力サブフレームにおけるデータ送信のためのＥＰＲＥであると決定することができるように、ＵＥに上記の上限値を送信してもよく、ここで、第２電力サブフレームは、通常の電力を用いることによりデータまたは制御信号を送信するためのサブフレームである。例えば、上記第２電力サブフレームは、通常のサブフレームであってもよい。
【００５７】
例えば、システムが二つの基地局を有しているとし、これら基地局は、それぞれ、基地局１と基地局２であり、基地局１はマクロ（Ｍａｃｒｏ）基地局であり、基地局２はピコ（Ｐｉｃｏ）基地局であるとすれば、基地局１の平均送信電力は、基地局２の平均送信電力よりも大きい。基地局１には、二つのユーザ装置が存在し、一つはエッジユーザ装置ＵＥ１であり、他の一つはセントラルユーザ装置ＵＥ２である。
【００５８】
一態様において、基地局２での干渉を低減するために、基地局１は、いくつかのサブフレームのサブフレームタイプを、低電力送信サブフレームまたはゼロ電力送信サブフレームに設定してもよく、上記低電力送信サブフレームまたはゼロ電力送信サブフレームは、第１電力サブフレームと称され得る。例えば、基地局１は、サブフレームｘを低電力送信サブフレームまたはゼロ電力送信サブフレームに設定し、そしてサブフレームｘは、基地局１が基地局２のデータ送信を保護するために電力を制限するサブフレームであり、そして、上記サブフレームｘのサブフレームタイプは、第１電力サブフレームである。
【００５９】
他の態様において、エッジユーザ装置のデータ送信を保護するため、基地局１は、更に、エッジユーザ装置ＵＥ１とセントラルユーザ装置ＵＥ２のための通常のサブフレームにおいて通常の送信電力を用いることにより、データ送信を実施する必要がある。ここで、上記の通常のサブフレームは、このサブフレームにおいて、基地局１がエッジユーザ装置ＵＥ１およびセントラルユーザ装置ＵＥ２の通常のデータ検出に必要とされる送信電力を制限しないことを意味し、この通常のサブフレームは、第２電力サブフレームと称され得る。例えば、基地局１は、サブフレームｙのサブフレームタイプを第２電力サブフレームに設定してもよい。ＵＥ１とＵＥ２から基地局１までの距離が異なることを考慮すると、サブフレームｙで必要とされる送信電力は、ＵＥ１とＵＥ２とで異なり、例えば、サブフレームｙにおいてＵＥ１に必要とされる送信電力は、サブフレームｙにおいてＵＥ２に必要とされる送信電力よりも大きい。
【００６０】
初めはＵＥ２が基地局１に非常に近いとすると、基地局１は、サブフレームｙにおいてＵＥ２によるデータ送信のためのＥＰＲＥをＡに設定する。同時に、上記基地局は、サブフレームｘにおけるデータ送信のためのＥＰＲＥの上限値をＢに設定する。Ｂは、基地局１によって考慮されるＥＰＲＥの上限値であり、基地局２に対する深刻な干渉を生じさせない。基地局１は、サブフレームｘのサブフレームタイプが第１電力サブフレームであることを、シグナリングを用いることによりＵＥ２に通知し、そして、このとき、ＵＥ２は、サブフレームｘにおけるデータ送信のためのＥＰＲＥとして、ＡとＢのうち、小さい方をとる。ＵＥ２が上記基地局に非常に近い場合、ＡがＢより小さければ、ＵＥ２は、サブフレームｘにおけるデータ送信のためのＥＰＲＥとして、ＡとＢのうち、小さい方をとる。ＵＥ２がセルのエッジに移動した場合、ＵＥ２は、基地局からさらにいっそう遠くなる。もし、基地局１が、サブフレームｙにおけるＵＥ２によるデータ送信のためのＥＰＲＥの値を地理的位置でＣに設定し、ＣがＢより大きければ、ＵＥ２は、サブフレームｘにおけるデータ送信のためのＥＰＲＥとして、ＣとＢとのうち、小さい方の値Ｂをとる。
【００６１】
加えて、第２電力サブフレームにおけるＥＰＲＥを取得するための方法について、従来技術を参照してもよい。その方法はここでは説明しない。
【００６２】
随意的に、他の実施形態として、サブフレームが、更に、第２電力サブフレームを含む場合、基地局は、第２電力サブフレームにおけるデータ伝送のためのＥＰＲＥと第１電力サブフレームにおけるデータ送信のためのＥＰＲＥとの差(fifference)または比(ratio)をＵＥに送信してもよく、ここで、第２電力サブフレームは、通常の電力を用いることによりデータまたは制御信号を送信するためのサブフレームである。第２電力サブフレームにおけるＥＰＲＥを取得するための方法については、従来技術を参照してもよい。ここでは、この方法は説明しない。
【００６３】
随意的に、他の実施形態として、基地局は、第１電力サブフレームにおけるデータ送信のためのＥＰＲＥをＵＥに送信してもよい。
【００６４】
随意的に、他の実施形態として、ＲＲＣ専用シグナリング、またはＭＡＣシグナリング、または物理レイヤコントロールシグナリングを用いることにより、基地局は、ＵＥに第２情報を送信してもよい。
【００６５】
例えば、基地局は、ＲＲＣ専用シグナリングを用いることにより、ＵＥに第２情報を送信してもよい。また、基地局は、物理レイヤシグナリングを用いることにより、ＵＥに第２情報を送信してもよい。例えば、ＰＤＣＣＨにおいて負担される、冗長ビットまたは新たに付加されたビットが、第２情報を示すために使用されてもよい。具体的には、冗長ビットに関する情報は、ページングチャネルスケジューリング情報を負担するＰＤＣＣＨ、またはＳＩＢ１スケジューリング情報を負担するＰＤＣＣＨ、またはＰＲＡＣＨスケジューリング情報を負担するＰＤＣＣＨを用いることにより取得されてもよい。更に、ＴＤＤ／ＦＤＤシステムについて、ページングチャネルは、通常、番号０／番号９サブフレームに配置され、従って、基地局は、番号０／番号９サブフレームに続く時間の期間内の第２情報をＵＥに送信するために、番号０／番号９サブフレームにおけるページングチャネルをスケジュールするＰＤＣＣＨに予約フィールド、即ち、冗長ビットを設定してもよい。加えて、ＳＩＢ１情報は、２０ｍ秒ごとに１回送信され、即ち、各偶数のラジオフレームにおける番号５サブフレームにおいて送信され、従って、基地局は、第５サブフレームに続く時間の期間内に第２情報をＵＥに送信するために、同様に、ＳＩＢ１スケジューリング情報のＰＤＣＣＨに予約フィールド、即ち、冗長ビットを設定すればよい。ＰＲＡＣＨチャネルについても同様のプロセスが存在し、即ち、基地局は、ＵＥに第２情報を送信するためにＰＲＡＣＨチャネルに予約フィールドを設定すればよく、基地局は、また、他の物理レイヤシグナリングを用いることにより、ＵＥに第２情報を送信してもよい。
【００６６】
加えて、基地局は、また、ＭＡＣシグナリングを用いることにより、ＵＥに第２情報を送信してもよい。例えば、マークは、ＭＡＣプロトコルデータユニットのヘッダまたはサブヘッダに付加されてもよく、ここで、上記のマークは、第１情報がＭＡＣコントロールエレメントまたはＭＡＣサービスデータユニットによって負担されることを示してもよい。換言すれば、新たなＭＡＣコントロールエレメントまたはＭＡＣサービスデータユニットは、ＭＡＣ ＰＤＵにおいて規定されてもよく、そして、上記コントロールエレメントまたは上記サービスデータユニットのビットは、第１情報を負担するために使用される。
【００６７】
加えて、基地局は、また、ＲＲＣ放送シグナリングを用いることにより、ＵＥに第２情報を送信してもよい。ＲＲＣ放送シグナリングは、既存のＲＲＣ放送シグナリングで負担されてもよく、例えば、既存のＲＲＣ放送シグナリングにおける、冗長ビット情報、新たに付加されるＩＥ，拡張フィールド、または新たに付加されるビット情報を用いることにより第２情報を示すために、ＰＢＣＨまたはＳＩＢ、例えば、ＳＩＢ１／ＳＩＢ−２／ＳＩＢ−３において負担されてもよい。加えて、このシグナリングは、また、他の放送シグナリングにおいて負担されてもよい。これは本発明の実施形態に制限されない。加えて、前述のシグナリングは、ビットマップフォームを採用してもよく、また、２値の組み合わせの形式を採用してもよい。これは本発明の実施形態に限定されない。
【００６８】
当然のことながら、本発明の実施形態において、第１電力サブフレームにおけるデータ送信のためのＥＰＲＥは、また、第１電力サブフレームにおけるデータ送信のための物理リソースの電力またはエネルギーと同じ意味で用いられ、即ち、第２情報は、第１電力サブフレームにおけるデータ送信のための物理リソースの電力またはエネルギーを示してもよい。第２電力サブフレームにおけるデータ送信のためのＥＰＲＥは、また、第２電力サブフレームにおけるデータ送信のための物理リソースの電力またはエネルギーと同じ意味で用いられる。物理リソースは、リソースエレメント、物理リソースブロック、サブバンド、キャリア、タイムシンボル、およびタイムスロットのうちの少なくとも一つであり得る。これは本発明の実施形態に制限されない。
【００６９】
図３は、本発明の実施形態によるサブフレームエネルギー情報を取得するための方法の図式的フローチャートである。
【００７０】
３１０：基地局から、第１電力サブフレームにおけるデータ送信のための物理リソースのエネルギーに関する情報を取得する。
【００７１】
３２０：上記のエネルギー情報に従って、第１電力サブフレームにおけるデータ送信のための物理リソースのエネルギーを決定する。
【００７２】
本発明の実施形態において、ＵＥが、データ復調および検出を実施するために第１電力サブフレームにおけるデータ送信のための物理リソースのエネルギーを正しく使用することができるように、第１電力サブフレームにおけるデータ送信のための物理リソースのエネルギーに関する情報を用いることにより、第１電力サブフレームにおけるデータ送信のための物理リソースのエネルギーが決定される。
【００７３】
随意的に、一実施形態として、ＵＥは、第２電力サブフレームにおけるデータ送信のための物理リソースのエネルギーを決定し、そして、第１電力サブフレームにおけるデータ送信のための物理リソースのエネルギーと第２電力サブフレームにおけるデータ送信のための物理リソースのエネルギーに関する情報に従って、第１電力サブフレームにおけるデータ送信のための物理リソースのエネルギーを決定してもよい。
【００７４】
随意的に、一実施形態として、もし、第１電力サブフレームにおけるデータ送信のための物理リソースのエネルギーに関する情報が、第１電力サブフレームにおけるデータ送信のための物理リソースのエネルギーの上限値または下限値であれば、ＵＥは、第２電力サブフレームにおけるデータ送信のための物理リソースのエネルギーと、上記のエネルギーの上限値とのうち、小さい方が、第１電力サブフレームにおけるデータ送信のための物理リソースのエネルギーであると決定してもよく、または、第２電力サブフレームにおけるデータ送信のための物理リソースのエネルギーと、上記のエネルギーの下限値とのうち、大きい方が第１電力サブフレームにおけるデータ送信のための物理リソースのエネルギーであると決定してもよい。
【００７５】
随意的に、他の実施形態として、もし、第１電力サブフレームにおけるデータ送信のための物理リソースのエネルギーに関する情報が、第１電力サブフレームにおけるデータ送信のための物理リソースのエネルギーと第２電力サブフレームにおけるデータ送信のための物理リソースのエネルギーとの差(difference)または比(ratio)であれば、ＵＥは、第１電力サブフレームにおけるデータ送信のための物理リソースのエネルギーと上記差とに従って、または、第１電力サブフレームにおけるデータ送信のための物理リソースのエネルギーと上記比とに従って、第１電力サブフレームにおけるデータ送信のための物理リソースのエネルギーを決定してもよい。
【００７６】
随意的に、他の実施形態として、第１電力サブフレームにおけるデータ送信のための物理リソースのエネルギーに関する情報は、第１電力サブフレームにおけるデータ送信のための物理リソースのエネルギーであってもよい。
【００７７】
随意的に、他の実施形態として、ＲＲＣ放送シグナリング、またはＲＲＣ専用シグナリング、またはＭＡＣシグナリング、または物理レイヤコントロールシグナリングを用いることにより、ＵＥは、基地局から第１電力サブフレームにおけるデータ送信のためのエネルギーに関する情報を取得してもよい。
【００７８】
随意的に、他の実施形態として、第１電力サブフレームは、ＡＢＳであってもよい。第２電力サブフレームは、通常のサブフレームであってもよい。
【００７９】
随意的に、他の実施形態として、物理リソースは、リソースエレメント、物理リソースブロック、サブバンド、キャリア、タイムシンボル、およびタイムスロットのうちの少なくとも一つであり得る。
【００８０】
本発明の実施形態において、ＵＥが、データ復調および検出を実施するために第１電力サブフレームにおけるデータ送信のための物理リソースのエネルギーを正しく使用することができるように、第１電力サブフレームにおけるデータ送信のための物理リソースのエネルギーに関する情報を用いることにより、第１電力サブフレームにおけるデータ送信のための物理リソースのエネルギーが決定される。
【００８１】
図４は、本発明の実施形態によるエネルギー関係を示すための方法の図式的フローチャートである。
【００８２】
４１０：ＲＲＣシグナリングに新たなビットを付加することにより、データを送信するためのＲＥのエネルギーと参照信号（Ｒｅｆｅｒｅｎｃｅ  Ｓｉｇｎａｌ，ＲＳ）を送信するためのＲＥのエネルギーとの間の関係を識別するパラメータレンジを拡張し、または、データを送信するためのＲＥのエネルギーとＲＳを送信するためのＲＥのエネルギーとの間の関係を識別するパラメータレンジを再設定(reconfigure)する。
【００８３】
例えば、ＬＴＥの従来技術において、パラメータｐ−ａは、データを送信するためのＲＥの（平均）エネルギーと、ＲＳを送信するためのＲＥの（平均）エネルギーとの間の比（または差）を識別するために使用される。一般に、上記のエネルギーの比は、単位としてデシベルを使用する。基地局は、ＲＳを送信するためのＲＥのエネルギーをＵＥに通知するためにシグナリングを使用してもよい。従って、データを送信するためのＲＥのエネルギーとＲＳを送信するためのＲＥのエネルギーとの間の、ｐ−ａによって示される上記の比に従って、ＵＥは、データを送信するためのＲＥの（平均）エネルギーを取得してもよい。
【００８４】
従来技術では、ｐ−ａは、８個の比(ratios)を示し、即ち、ｐ−ａ列挙(ENUMERATED)｛ｄＢ−６，ｄＢ−４ｄｏｔ７７，ｄＢ−３，ｄＢ−１ｄｏｔ７７，ｄＢ０，ｄＢ１，ｄＢ２，ｄＢ３｝である。
【００８５】
基地局は、ｐ−ａがより大きなエネルギー間の比を示し得るように、既存のｐ−ａパラメータによって示されるエネルギー間の比を置き換えてもよい。例えば、新たなｐ−ａは、８個のエネルギー間の比、例えば、列挙(ENUMERATED)｛ｄＢ−１２，ｄＢ−１０，ｄＢ−８，ｄＢ−６，ｄＢ−４，ｄＢ−２，ｄＢ０，ｄＢ２｝を示すために規定され使用される。
【００８６】
加えて、基地局は、ｐ−ａがより大きなエネルギー間の比を示し得るように、既存のｐ−ａパラメータによって示されるエネルギー間の比のレンジを拡張してもよい。例えば、例えば１６個のエネルギー間の比、例えばｐ−ａ列挙(ENUMERATED)｛ｄＢ−１２，ｄＢ−１１，ｄＢ−１０，ｄＢ−９，ｄＢ−８，ｄＢ−７，ｄＢ−６，ｄＢ−４ｄｏｔ７７，ｄＢ−３，ｄＢ−１ｄｏｔ７７，ｄＢ０，ｄＢ１，ｄＢ２，ｄＢ３，ｄＢｘ１，ｄＢｘ２｝を示すために、例えば、新たなｐ−ａが規定され使用されてもよい。
【００８７】
ｄＢｘ１およびｄＢｘ２は、予約エネルギー(reserved energies)間の比を表す。
【００８８】
加えて、ｐ−ａのインジケーションレンジ(indication range)を拡張するために、ｐ−ａを通知するための専用シグナリングに新たなビットを付加する必要がある。即ち、従来技術におけるｐ−ａが８個のエネルギー間の比を示すことができることを、ｐ−ａが１６個のエネルギー間の比を示すことができることに拡張する場合、ｐ−ａの特定の値を示すために一つのビットが新たに付加され使用される必要がある。
【００８９】
加えて、基地局は、専用シグナリングを用いることによりＵＥにｐ−ａの値を送信し、従って、新たに規定されたｐ−ａが、新たなバージョンのＵＥに適用され得る。
【００９０】
本発明の実施形態において、基地局がより少ない電力を用いることによりＵＥのためのデータ送信／スケジューリングを実施し得るように、従来技術におけるパラメータが、エネルギー比を示すために使用され、これにより、基地局間の干渉を低減する。
【００９１】
図５は、本発明の実施形態によるサブフレーム情報を送信するためのユーザ装置のブロック図である。ユーザ装置５００は、取得ユニット５１０と決定ユニット５２０を備える。一実施法として、取得ユニット５１０は受信器であってもよく、決定ユニット５２０はプロセッサであってもよい。
【００９２】
ＲＲＣ専用シグナリング、またはＭＡＣシグナリング、または物理レイヤコントロールシグナリングを通じて、取得ユニット５１０は、基地局からサブフレームコンフィギュレーションを示す第１情報を取得する。決定ユニット５２０は、上記第１情報に従って、サブフレームコンフィギュレーションを決定し、ここで、上記サブフレームコンフィギュレーションは、サブフレームセットにおけるサブフレームのサブフレームタイプを識別し、上記サブフレームは、少なくとも一つの第１電力サブフレームを含み、そして、上記第１電力サブフレームは、低電力またはゼロ電力を用いることによりデータまたは制御信号を送信するためのサブフレームである。
【００９３】
本発明の実施形態において、異なるサブフレームタイプをＵＥが認識することを可能とするために、基地局は、サブフレームコンフィギュレーションを示す情報をＵＥに送信し、これにより、異なるサブフレームに関するＣＳＩ通知およびデータ復調を実施する。
【００９４】
ユーザ装置５００の他の機能およびオペレーションについて、図１の方法実施におけるＵＥを含む処理を参照してもよい。繰り返しを避けるため、詳細な記載は重複して提供されない。
【００９５】
随意的に、一実施形態として、取得ユニット５１０は、また、基地局から第２情報を取得してもよく、ここで、第２情報は、第１電力サブフレームにおけるデータ送信のためのＥＰＲＥを示す。決定ユニット５２０は、また、上記第２情報に従って、第１電力サブフレームにおけるデータ送信のためのＥＰＲＥを決定してもよい。
【００９６】
本発明の実施形態において、ＵＥが、データ復調および検出を実施するために第１電力サブフレームにおけるデータ送信のためのＥＰＲＥを正しく使用することができるように、第１電力サブフレームにおけるデータ送信のためのＥＰＲＥは、基地局からＵＥによって取得された情報に従って決定される。
【００９７】
随意的に、他の実施形態として、取得ユニット５１０によって取得される第２情報が、第１電力サブフレームにおけるデータ送信のためのＥＰＲＥの上限値であり、且つ、サブフレームが、更に、第２電力サブフレームを含む場合、取得ユニット５１０は、また、基地局から第２電力サブフレームにおけるデータ送信のためのＥＰＲＥを取得してもよい。決定ユニット５２０は、第２電力サブフレームにおけるデータ送信のためのＥＰＲＥと上限値とのうち、小さい方が、第１電力サブフレームにおけるデータ送信のためのＥＰＲＥであると決定してもよく、ここで、第２電力サブフレームは、通常の電力を用いることによりデータまたは制御信号を送信するためのサブフレームである。
【００９８】
随意的に、他の実施形態として、取得ユニット５１０によって取得された第２情報が、第１電力サブフレームにおけるデータ送信のためのＥＰＲＥと第２電力サブフレームにおけるデータ送信のためのＥＰＲＥとの差または比であり、且つ、上記サブフレームが、更に、第２電力サブフレームを含む場合、取得ユニット５１０は、また、基地局から第２電力サブフレームにおけるデータ送信のためのＥＰＲＥを取得してもよい。決定ユニット５２０は、第２電力サブフレームにおけるデータ送信のためのＥＰＲＥと上記差とに従って、または、第２電力サブフレームにおけるデータ送信のためのＥＰＲＥと上記比とに従って、第１電力サブフレームにおけるデータ送信のためのＥＰＲＥを決定してもよく、ここで、第２電力サブフレームは、通常の電力を用いることによりデータまたは制御信号を送信するためのサブフレームである。
【００９９】
随意的に、他の実施形態として、取得ユニット５１０によって取得される第２情報は、第１電力サブフレームにおけるデータ送信のためのＥＰＲＥであってもよい。
【０１００】
随意的に、他の実施形態として、ＲＲＣシグナリング、またはＭＡＣシグナリング、または物理レイヤシグナリングを用いることにより、取得ユニット５１０は、基地局から第２情報を取得してもよい。
【０１０１】
図６は、本発明の実施形態によるサブフレーム情報を送信するための基地局のブロック図である。基地局６００は、決定ユニット６１０と送信ユニット６２０を備える。実施方法として、決定ユニット６１０はプロセッサであってもよく、送信ユニット６２０は送信器(transmitter)であってもよい。
【０１０２】
決定ユニット６１０は、サブフレームコンフィギュレーションを示す第１情報を決定する。ＵＥが、上記第１情報に従って、上記サブフレームコンフィギュレーションを決定することができるように、送信ユニット６２０は、ＲＲＣ専用シグナリング、またはＭＡＣシグナリング、または物理レイヤコントロールシグナリングを通じて、ＵＥに第１情報を送信し、ここで、上記サブフレームコンフィギュレーションは、サブフレームセットにおけるサブフレームのサブフレームタイプを識別し、上記サブフレームは、少なくとも一つの第１電力サブフレームを含み、そして、上記第１電力サブフレームは、低電力またはゼロ電力を用いることによりデータまたは制御信号を送信するためのサブフレームである。
【０１０３】
本発明の実施形態において、異なるサブフレームタイプをＵＥが認識することを可能とするために、基地局は、ＵＥに、サブフレームコンフィギュレーションを示す情報を送信し、これにより、異なるサブフレームに関するＣＳＩ通知およびデータ復調を実施する。
【０１０４】
基地局６００の他の機能およびオペレーションについて、図２の方法実施における基地局を含むプロセスを参照してもよい。繰り返しを避けるため、詳細な記載は重複して提供されない。
【０１０５】
随意的に、一実施形態として、ＵＥが、第２情報に従って第１電力サブフレームにおけるデータ送信のためのＥＰＲＥを決定することができるように、送信ユニット６２０は、また、ＵＥに第２情報を送信してもよく、ここで、第２情報は、第１電力サブフレームにおけるデータ送信のためのＥＰＲＥを示す。
【０１０６】
本発明の実施形態において、ＵＥが、データ復調および検出を実施するために第１電力サブフレームにおけるデータ送信のためのＥＰＲＥを正しく使用することができるように、第１電力サブフレームにおけるデータ送信のためのＥＰＲＥは、基地局からＵＥによって取得される情報に従って決定される。
【０１０７】
随意的に、他の実施形態として、サブフレームが更に第２電力サブフレームを含む場合、送信ユニット６２０は、ＵＥが、第１電力サブフレームにおけるデータ送信のためのＥＰＲＥの上限値と第２電力サブフレームにおけるデータ送信のためのＥＰＲＥとのうち、小さい方が第１電力サブフレームにおけるデータ送信のためのＥＰＲＥであると決定することができるように、ＵＥに上記の上限値を送信してもよく、ここで、第２電力サブフレームは、通常の電力を用いることによりデータまたは制御信号を送信するためのサブフレームである。
【０１０８】
随意的に、他の実施形態として、サブフレームが更に第２電力サブフレームを含む場合、送信ユニット６２０は、ＵＥに、第１電力サブフレームにおけるデータ送信のためのＥＰＲＥと第２電力サブフレームにおけるデータ送信のためのＥＰＲＥとの差または比を送信してもよく、ここで、第２電力サブフレームは、通常の電力を用いることによりデータまたは制御信号を送信するためのサブフレームである。
【０１０９】
随意的に、他の実施形態として、送信ユニット６２０は、ＵＥに、第１電力サブフレームにおけるデータ送信のためのＥＰＲＥを送信してもよい。
【０１１０】
随意的に、他の実施形態として、ＲＲＣ専用シグナリング、またはＭＡＣシグナリング、または物理レイヤコントロールシグナリングを用いることにより、送信ユニット６２０は、ＵＥに第２情報を送信してもよい。
【０１１１】
本発明の実施形態による通信システムは、ユーザ装置５００または基地局６００を含んでもよい。
【０１１２】
当業者であれば、本明細書に開示された実施形態で述べられた例との組み合わせにおいて、ユニットおよびアルゴリズムステップは、電子的ハードウェア、または、コンピュータソフトウェアと電子的ハードウェアとの組み合わせにより実施され得ることが理解し得る。機能がハードウェアまたはソフトウェアによって実施されるかどうかは、技術的解法の設計制限条件や特定のアプリケーションに依存する。当業者であれば、各特定のプリケーションについて上述した機能を実施するために別の方法を用いることができるが、その実施は、本発明の範囲を逸脱するものではない。
【０１１３】
当業者であれば、便利で簡潔な記載のために、前述のシステム、装置、およびユニットの詳細な動作処理について、前述した方法実施形態における対応処理を参照してもよいことが明確に理解され、詳細は、ここでは繰り返し記載されていない。
【０１１４】
本願で提供される多数の実施形態において、当然のことながら、開示されたシステム、装置、および方法は、他の手法で実施し得る。例えば、上述した装置実施形態は、単なる例に過ぎない。例えば、ユニットの分割は、単に論理的機能分割であり、実際の実施では他の分割であってもよい。例えば、複数のユニットまたはコンポーネントは、結合されてもよく、他のシステムに統合されてもよく、またはいくつかの特徴は、無視してもよく、実施されなくてもよい。加えて、表示または議論された相互結合、または直接結合、または通信接続は、いくつかのインターフェイスを用いることによって実施されてもよい。装置間またはユニット間の間接的な結合または通信接続は、電子的、機械的、または他の形式で実施されてもよい。
【０１１５】
個別のパートとして記載されたユニットは、物理的に分離されてもよく、物理的に分離されていなくてもよく、ユニットとして表示されたパートは、物理的なユニットであってもよく、物理的なユニットでなくてもよく、一つの場所に配置されてもよく、複数のネットワークユニット上に分散されてもよい。ユニットの一部または全部は、実施形態の解法の目的を達成するために実際の要請に従って選択されてもよい。
【０１１６】
加えて、本発明の実施形態における機能ユニットは、一つの処理ユニットに統合されてもよく、または、ユニットのそれぞれは、物理的に単独で存在し、または２以上のユニットが一つのユニットに統合されてもよい。
【０１１７】
機能は、ソフトウェア機能ユニットおよび個体または独立な製品として販売または使用される形態で実施され、上記機能は、コンピュータ読み出し可能な記憶媒体に格納されてもよい。このような理解に基づけば、本質的に、本発明の技術的解法、または、従来技術に寄与する部分、または技術的解法の一部は、ソフトウェアプロダクトの形式で実施されてもよい。ソフトウェアプロダクトは、記憶媒体に格納され、そして、本発明の実施形態に記載された方法のステップの一部または全部を実施するために、コンピュータデバイス（それは、パーソナルコンピュータ、サーバー、またはネットワークデバイスであり得る）に指令を発するための多くの命令を含む。上記の記憶媒体は、ＵＳＢフラッシュドライブ、リムーバブルハードディスク、リードオンリーメモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、または光ディスクのような、プログラムコードを格納することができる任意の媒体を含む。
【０１１８】
上述の記載は、単に本発明の特定の実施形態に過ぎず、本発明の保護範囲を制限することを意図したものではない。本発明で開示された技術範囲内の当業者によって容易に理解される任意の変形や置き換えは、本発明の保護範囲に含まれる。従って、本発明の保護範囲は請求項の保護範囲による。
【符号の説明】
【０１１９】
１１０，１２０，２１０，３１０，３２０，４１０…処理ステップ、５００…ユーザ装置、５１０…取得ユニット、５２０…決定ユニット、６００…基地局、６１０…決定ユニット、６２０…送信ユニット。
【図１】
0005884215.tif 000002
【図２】
0005884215.tif 000003
【図３】
0005884215.tif 000004
【図４】
0005884215.tif 000005
【図５】
0005884215.tif 000006
【図６】
0005884215.tif 000007